(57)【特許請求の範囲】
【請求項１】
三脚とビデオカメラアダプタとの間に挟持される板状の本体部と、前記本体部に設けられ前記本体部を前記三脚と前記ビデオカメラアダプタに対して固定するために用いられる取付穴部と、前記本体部の一端に設けられビューファインダー装置の固定に用いられるビューファインダー装置固定部とを備え、
前記本体部は、前記取付穴部を有する第１部材と、前記ビューファインダー装置固定部を有する第２部材とを備え、
第１部材と第２部材は、相対回転可能に連結されるビューファインダー装置固定用アダプタ。
【請求項２】
第１部材と第２部材とは互いにネジで連結されている請求項１に記載のビューファインダー装置固定用アダプタ。
【請求項３】
請求項１又は２に記載のビューファインダー装置固定用アダプタと、前記アダプタに固定されるビューファインダー装置とを備え、
前記ビューファインダー装置は、リターン信号を含む制御信号の入力を受け付ける制御信号入力部と、ビデオカメラからのビデオカメラ映像信号の入力を受け付けるビデオカメラ映像入力部と、前記ビデオカメラとは異なる割り込み映像ソースからの割り込み映像信号の入力を受け付ける割り込み映像入力部と、前記リターン信号の状態に基づいて前記ビデオカメラ映像信号による映像と前記割り込み映像信号による映像の何れかを選択する映像選択部と、前記映像選択部が選択した映像の表示を制御する表示制御部と、前記制御信号からリターン信号を除いた信号を出力する制御信号出力部とを備えるビューファインダー装置である、固定用アダプタ付きビューファインダー装置。
【発明の詳細な説明】
【技術分野】
【０００１】
本発明は、ビデオカメラに装着して使用されるビューファインダー装置（映像表示装置）に関し、特に、ビデオカメラからのビデオカメラ映像信号による映像と、割り込み映像信号（スイッチャーなどの割り込み映像ソースからのリターン映像）による映像とを切り替えて表示部に表示することができるビューファインダー装置に関する。
【背景技術】
【０００２】
一般に、テレビ放送の撮影時には複数の放送用のビデオカメラがスイッチャーに接続される。スイッチャーの操作者は、複数のビデオカメラからの映像を同時に見て、どのビデオカメラからの映像を採用するのかを決定する。興味深いテレビ番組を作成するには、放送の対象をズームアップした映像や、逆に現場の臨場感を演出するために放送される場面全体の映像などが必要である。各カメラマンが自発的に判断して多種多様な映像をスイッチャーに届けるためには、スイッチャーが採用している映像をカメラマンが容易に確認することができる機能が必要である。このような機能があれば、カメラマンは、スイッチャーが採用している映像とは異なる映像を撮影することが容易になるからである。このため、放送用のビデオカメラは、一般に、スイッチャーからのリターン映像を入力でき、ビデオカメラに装着されたレンズのリターンボタン又はビデオカメラに接続されたレンズにズームリモコンコネクタを装着することにより、ビデオカメラに装着されたレンズを介在してリターンボタンを押してビューファインダーの映像表示を、現在撮影している映像（以下，「現在映像」と称する）と、スイッチャーからのリターン映像（以下，「リターン映像」と称する）とを切替える機能を有している。
【発明の概要】
【発明が解決しようとする課題】
【０００３】
近年、ビデオカメラの性能が向上し、放送用途に設計された非常に高価なビデオカメラを用いなくても、より安価なビデオカメラでも放送に耐えうる品質の映像を撮影することが可能になってきた。このようなカメラは、映像の品質は良くても、放送用途を考慮して設計されていないため、リターン映像をカメラ本体に入力することができない。このため、映像品質の点で十分であっても、安価なビデオカメラを放送用に用いることができなかった。
【０００４】
本発明はこのような事情に鑑みてなされたものであり、安価なビデオカメラを放送用に転用することを可能にするビューファインダー装置を提供するものである。
【課題を解決するための手段】
【０００５】
本発明によれば、リターン信号を含む制御信号の入力を受け付ける制御信号入力部と、ビデオカメラからのビデオカメラ映像信号の入力を受け付けるビデオカメラ映像入力部と、前記ビデオカメラとは異なる割り込み映像ソースからの割り込み映像信号の入力を受け付ける割り込み映像入力部と、前記リターン信号の状態に基づいて前記ビデオカメラ映像信号による映像と前記割り込み映像信号による映像の何れかを選択する映像選択部と、前記映像選択部が選択した映像の表示を制御する表示制御部と、前記制御信号からリターン信号を除いた信号を出力する制御信号出力部とを備えるビューファインダー装置が提供される。
【０００６】
本発明のビューファインダー装置が主に対象とするビデオカメラは、現在映像と、数秒前に撮影されてカメラ本体に記録されている映像（以下、「直前録画映像」と称する）とをリモコンを用いて切り替える機能を有しているビデオカメラである。このようなビデオカメラでは、リモコンからのリターン信号に基づいて現在映像と直前録画映像とが切り替えられる。リモコンからの出力は、リターン信号のみではなく、通常は、ズーム調整を行う信号や、録画のスタート／ストップを操作する信号なども含まれている。これらの信号を「制御信号」と総称する。
【０００７】
本発明では、リモコンが出力した、リターン信号を含む制御信号をビデオカメラに入力する代わりに、この制御信号を本発明のビューファインダー装置に入力する。本発明のビューファインダー装置は、ビデオカメラ映像入力部と割り込み映像入力部を有しており、リモコンからのリターン信号に基づいて、どちらかの入力部に入力された映像信号による映像を表示する。このような構成にすることによって、割り込み映像入力部にスイッチャーからのリターン映像を入力すると、リモコンを用いて現在映像とリターン映像を切り替えることができ、リターン映像をカメラ本体に入力することができない安価なビデオカメラをテレビ放送用に使用することが可能になる。
【０００８】
上記の構成によって、現在映像とリターン映像の切り替えは可能であるが、一つ問題がある。それは、リモコンが出力した制御信号をビデオカメラに入力する代わりに本発明のビューファインダー装置の映像装置に入力しているため、リターン信号以外の制御信号も本発明のビューファインダー装置に入力され、その結果、ズーム調整や録画のスタート／ストップをリモコンを用いて行うことができなくなるという問題である。本発明では、この問題を解決するために、リターン信号以外の制御信号を本発明のビューファインダー装置から出力し、この出力をビデオカメラに入力するという構成になっている。このような構成によって、リターン信号以外の制御信号が正常にビデオカメラに入力され、上記の問題が解決される。本発明のビューファインダー装置からの制御出力から、リターン信号を除いているのは、リターン信号がビデオカメラに入力されると、リターン映像を確認する際に、ビデオカメラが現在映像の録画を中止して直前録画映像を出力してしまうという問題があるからである。
以上より、本発明のビューファインダー装置を用いることにより、従来は放送用途に使用することができなかった安価なビデオカメラを放送用途に使用することができる。
【０００９】
なお、本発明のビューファインダー装置は、デジタル映像信号出力搭載のカメラだけでなく、アナログのビデオカメラもデジタル信号変換ボックスを使用することにより適用可能となっている。本発明のビューファインダー装置はＥＮＧビデオカメラだけでなく、スタジオビデオカメラビューファインダー装置としても十分適している。
【００１０】
また、本発明のビューファインダー装置は、映像選択部が選択した映像を外部出力する映像出力部をさらに備えてもよい。この場合、表示部に表示されている映像を出力させて、録画や放送に利用することができる。割り込み映像入力部に別のビデオカメラからの映像や、すでに録画済みの映像を再生して出力する映像再生機器からの映像を入力すると、リモコンを用いて、現在映像と、別のビデオカメラ又は映像再生機器からの映像とを切り替えることができるので、ビューファインダー装置をスイッチャーとして利用することができる。一例では、本発明のビューファインダー装置を第一のビデオカメラに設置し、第二のビデオカメラを離れた場所に固定しておく（例えば、現場の全体像が分かるような視点に設定しておく。）と、ビューファインダー装置の表示部に第一のビデオカメラからの映像と第二のビデオカメラからの映像のどちらを表示させるのかをリモコンを用いて制御することができ、表示されている映像をそのまま外部出力させることができるので、第一のビデオカメラからの映像と第二のビデオカメラの映像とが組み合わされた映像を容易に作成することができる。本発明のビューファインダー装置を用いると、複数台のカメラを用いて撮影を行う場合でも、スイッチャーが不要になるので、スイッチャーの機器を運搬する手間や、スイッチャーの操作者の人件費を削減することができる。
【図面の簡単な説明】
【００１１】
【図１】本発明の一実施形態のビューファインダー装置の内部構成を示すブロック図である。
【図２】本発明の一実施形態のビューファインダー装置を示す正面図である。
【図３】本発明の一実施形態のビューファインダー装置を示す裏面図である。
【図４】本発明の一実施形態のビューファインダー装置を接続する接続図である。
【図５】本発明の一実施形態のビューファインダー装置での映像切換えを動作させる動作回路の構成を示す回路図である。
【図６】本発明の一実施形態のビューファインダー装置で利用可能なペン型リターンスイッチ装置を示す正面図である。
【図７】本発明の一実施形態のビューファインダー装置の固定に使用されるビューファインダー装置固定用アダプタであり、（ａ）は平面図、（ｂ）は側面図である。
【図８】図７のビューファインダー装置固定用アダプタをビデオカメラアダプタと三脚アダプタに固定する方法を示す側面図である。
【図９】図７のビューファインダー装置固定用アダプタをビデオカメラアダプタと三脚アダプタに固定する別の方法を示す側面図である。
【図１０】図７のビューファインダー装置固定用アダプタにビューファインダー装置を固定する方法を示す側面図である。
【図１１】図７のビューファインダー装置固定用アダプタに高さ調節台を用いてビューファインダー装置を固定する方法を示す側面図である。
【図１２】図７のビューファインダー装置固定用アダプタを用いてビューファインダー装置が固定された状態の全体像を示す側面図である。
【図１３】２つの部材を用いて構成されたビューファインダー装置固定用アダプタの構成を示す平面図である。
【図１４】図１３のビューファインダー装置固定用アダプタを用いてビューファインダー装置が固定された状態の全体像を示す側面図である。
【図１５】図１３のビューファインダー装置固定用アダプタを構成する部材の別の形態を示す平面図である。
【図１６】本発明の別の実施形態のビューファインダー装置の内部構成を示すブロック図である。
【符号の説明】
【００１２】
Ａ  ビューファインダー装置
Ｂ  カメラ
Ｃ  ビデオ三脚
Ｄ  スイッチャー
Ｅ  ズームリモコン
Ｆ  カメラレンズ
１  制御信号入力部
２  制御信号出力部
３  割り込み映像入力部
４  ビデオカメラ映像入力部
５  映像選択部
６  表示制御部
７  記憶部
８  映像表示調節部
９  オーディオ信号分離部
１０  本体部
１１  タリー表示部
１２  液晶表示部
１３  ピーキング調整機能
１４  コントラスト調整機能
１５  ブライト調整機能
１６  オーディオ出力調整ボリューム
１７  後部タリー表示部
１８  カメラ映像信号入力コネクタ
１９  割り込み映像（スイッチャーからのリターン映像）入力コネクタ
２０  タリー入力１コネクタ
２１  タリー入力２コネクタ
２２  ビデオカメラレンズ用ズームリモコン入力端子
２３  ビデオカメラレンズ用ズームリモコンスルー出力コネクタ
２４、２５  オーディオ出力コネクタ
２６、２７、２８  ＬＥＤ
２９  ブライトレベル表示
３０  コントラストレベル表示
３１  ピーキングレベル表示
４１  ＤＡ変換部
４２  音声出力部
４２  アナログ音声出力部
４３  タリー信号入力部
４４  タリー表示制御部
４５  映像表示設定切替部
５０  ＢＮＣケーブル
６０  ズームリモコンケーブル
６１  ＢＮＣケーブル
６２  ズームリモコンケーブル
６６  ビューファインダー装置固定用アダプタ
６６ａ  第１部材
６６ｂ  第２部材
６７  本体部
６８  取付穴部
７０  ビューファインダー装置固定部
７１  カメラ映像出力端子
７２  パーン棒
７３  三脚アダプタ
７４、７６，７８  ネジ
７９  高さ調節台
８０  ペン型スイッチ
８１  穴
８２  ネジ穴
８５  映像出力部
【発明を実施するための形態】
【００１３】
以下、図１〜図６を用いて、本発明の一実施形態のビューファインダー装置について説明する。以下に示す実施形態は、例示であって、本発明は以下の実施形態には限定されない。
【００１４】
図１は、本実施形態のビューファインダー装置Ａの内部構成を示すブロック図である。ビューファインダー装置Ａの外観及びコネクタや表示部の配置の一例を図２及び図３に示す。図２及び図３は、それぞれ、正面図及び裏面図を示す。
【００１５】
１．ビューファインダー装置Ａの内部構成
まず、図１を用いて、ビューファインダー装置Ａの内部構成について説明する。
ビューファインダー装置Ａは、リターン信号を含む制御信号の入力を受け付ける制御信号入力部１と、ビデオカメラからのビデオカメラ映像信号の入力を受け付けるビデオカメラ映像入力部４と、前記ビデオカメラとは異なる割り込み映像ソース（例：スイッチャー）からの割り込み映像信号の入力を受け付ける割り込み映像入力部３と、前記リターン信号の状態に基づいて前記ビデオカメラ映像信号による映像と前記割り込み映像信号による映像の何れかを選択する映像選択部５と、前記映像選択部が選択した映像の表示を制御する表示制御部６と、前記制御信号からリターン信号を除いた信号を出力する制御信号出力部２とを備える。このような構成によって、リモコンを用いてビデオカメラ映像とリターン映像とを切り替えることが可能になる。映像選択部５は、例えば、リターン信号がＨ（ハイ）のときにビデオカメラ映像を選択肢、リターン信号がＬ（ロー）のときに割り込み映像信号を選択する。制御信号からリターン信号を除いた信号を出力する回路の一例は、図５に示す通りである。
本明細書において、映像信号は、コンポジット信号、ＨＤ−ＳＤＩ信号、ＳＤ−ＳＤＩ信号、ＨＤ−コンポーネントなどビデオカメラの信号に基づき信号の種類を構成してもよい。
【００１６】
また、制御信号入力部１は、ビデオカメラレンズ用ズームリモコン端子が直接装着可能に構成されていることが好ましい。この場合、特別なアダプタを使用することなく、ビデオカメラレンズ用ズームリモコン端子をビューファインダー装置Ａに取り付けることができるので、簡便である。
【００１７】
また、ビデオカメラ映像入力部４と割り込み映像入力部３には、ＢＮＣコネクタを通じて映像信号が入力されることが好ましい。一般のビューファインダーは、特定のビデオカメラ専用のものであり、コネクタも特殊なものが使用されるので、別のビデオカメラに利用することは困難であるが、ビューファインダー装置Ａでは、ビデオカメラ映像入力部４と割り込み映像入力部３に汎用のＢＮＣコネクタが用いられるので、種々のビデオカメラと共に使用することが容易である。
【００１８】
また、ビューファインダー装置Ａは、前記映像ソースからのタリー信号の入力を受け付けるタリー信号入力部４３と、複数色で発光可能なタリー表示部１１と、タリー信号に基づいてタリー表示部１１の表示を制御するタリー表示制御部４４とを備え、タリー表示制御部４４は、タリー信号の電圧に基づいてタリー表示部１１での発光色を決定することが好ましい。この構成によって、タリー表示部１１の発光色を変えたい場合でも、タリー信号の信号線を一本にすることができる。例えば、タリー信号の電圧が２〜４Ｖの場合にタリー表示部１１を緑色に発光させ、タリー信号の電圧が５Ｖ以上の場合にタリー表示部１１を赤色に発光させることが可能にある。一般に、緑色のタリー表示は、ビューファインダー装置Ａが装着されているビデオカメラの映像をスイッチャーが次に使用するつもりであることを伝えるための表示であり，赤色のタリー表示は、ビューファインダー装置Ａが装着されているビデオカメラの映像をスイッチャーが現在使用していることを伝えるための表示である。
【００１９】
また、ビューファインダー装置Ａは、ピーキングレベル、ブライトレベル及びコントラストレベルを調節する映像表示調節部８と、映像表示調節部８によって調節された状態を記憶する記憶部７と、記憶部７に設定された状態と、初期状態とを切り替える映像表示設定切替部４５とをさらに備えることが好ましい。この構成によって、カメラマンが自分の好みの映像表示設定を記憶部７に保存することができ、保存した設定をいつでも呼び出すことができるので、別の人が映像表示の調節を行っても、容易に自分の好みの設定に戻すことができる。
【００２０】
ビデオカメラ映像信号及び割り込み映像信号は、ＨＤ−ＳＤＩ映像信号であり、前記ＨＤ−ＳＤＩ映像信号からエンベデッドオーディオ信号を分離するオーディオ信号分離部９と、前記分離部が分離したデジタル信号をアナログ信号に変換するＤＡ変換部４１と、変換されたアナログ信号を出力するアナログ音声出力部４２とを備えることが好ましい。従来のビューファインダーは音声出力がなく、現場のカメラマンがリターン音声やオンエアーの音声を聞く為に別のケーブルを配線しなければならなかった。本実施形態の構成によれば、このような別のケーブルを配線しなくても、リターン音声やオンエアーの音声を聞くことができる。
【００２１】
また、ビューファインダー装置Ａは、ビデオカメラ映像入力部４に入力されたビデオカメラ映像信号を出力するビデオカメラ映像出力部を備えてもよい。ビデオカメラ映像出力部から出力されたビデオカメラ映像信号は、スイッチャーなどの外部機器に入力することができる。
【００２２】
２．ビューファインダー装置Ａの正面側の外観及びコネクタや表示部の配置
次に、ビューファインダー装置Ａの正面側の外観及びコネクタや表示部の配置について説明する。
ビューファインダー装置Ａの正面側には、図２に示すように、箱状の本体部１０に、液晶表示部１２と、タリー表示部１１と、ブライト調整機能１５と、コントラスト調整機能１４と、ピーキング調整機能１３と、オーディオ調整ボリューム１６が設けられている。
【００２３】
本体部１０には、図１中の各機能ブロックが収容されている。液晶表示部１２には、映像選択部５が選択した映像が、映像表示調節部８によって定められたピーキングレベル、ブライトレベル及びコントラストレベルの条件で、表示制御部６の制御下で表示される。タリー表示部１１は、タリー信号に基づいてタリー表示制御部４によって定められた色で発光する。
【００２４】
ブライト調整機能１５、コントラスト調整機能１４、及びピーキング調整機能１３は、映像表示調節機能と総称することができ、それぞれ、ブライトレベル、コントラストレベル、及びピーキングレベル（以下、「映像表示レベル」と称する）の調節に利用される。これらの調節機能のボリュームを回転させると、符号２９、３０、３１で指し示すように液晶表示部１２の中に各映像表示レベルが数字で数秒間表示される。このレベル表示はユーザーモード時に任意で設定できる。また、これらの調節機能のボリュームを押すことにより、ＬＥＤ２６、ＬＥＤ２７、ＬＥＤ２８が消灯しプリセットモード（固定された標準設定レベル）に変わる。映像表示調節部８は、これらの映像表示調節機能からの入力に基づいて、映像表示レベルを調節する。本実施形態のビューファインダー装置Ａではこのような方法で映像表示レベルの調整を行うので、ビデオカメラのメーカーや機種を問わずに映像表示レベルを正確に調整して、映像をモニターすることができる。また、現場によりビデオカメラが変わっても適格に映像を表示することが可能になる。オーディオ調整ボリューム１６は、音声出力部４２から出力される音声のボリュームを調整する。
【００２５】
３．ビューファインダー装置Ａの裏面側の外観及びコネクタや表示部の配置
次に、ビューファインダー装置Ａの裏面側の外観及びコネクタや表示部の配置について説明する。
【００２６】
ビューファインダー装置Ａの裏面側には、図３に示すように、タリー表示部１７と、カメラ映像入力コネクタ１８と、割り込み映像（スイッチャーからのリターン映像）入力コネクタ１９と、タリー入力１コネクタ２０と、タリー入力２コネクタ２１と、リモコン入力コネクタ２２と、リモコンスルー出力コネクタ２３と、オーディオ出力端子２４、オーディオ出力端子２５が設けられている。
【００２７】
タリー表示部１７は、タリー信号に基づいてタリー表示制御部４によって定められた色で発光する。カメラ映像入力コネクタ１８は、ビデオカメラ映像信号を入力するためのコネクタであり、このコネクタを介してビデオカメラ映像信号がビデオカメラ映像入力部４に入力される。割り込み映像入力コネクタ１９は、割り込み映像信号（例えば、スイッチャーからの映像信号）を入力するためのコネクタであり、このコネクタを介して割り込み映像信号が割り込み映像入力部３に入力される。タリー入力１コネクタ２０及びタリー入力２コネクタ２１は、タリー表示部１１、１７の発光を制御する信号を入力するためのコネクタであり、通常は、スイッチャーからの出力が入力される。
【００２８】
リモコン入力コネクタ２２は、本来はビデオカメラに直接接続されるリモコンをビューファインダー装置Ａに装着するためのコネクタである。リモコン入力コネクタ２２に接続するリモコンとしては、リターン信号に加えてズーム調整を行う信号や、録画のスタート／ストップを操作する信号も出力するリモコンものであってもよく、リターン信号のみを出力する、図６に示すようなペン型スイッチリモコン８０であってもよい。
【００２９】
リモコンスルー出力コネクタ２３は、制御信号出力部２からの出力されるリターン信号が除かれた制御信号を外部出力するためのコネクタである。このコネクタから出力される制御信号は、ビデオカメラ（通常はカメラレンズに設けられている制御信号入力部）に入力される。オーディオ出力端子２４、２５は、アナログ音声出力部４２が出力したアナログオーディオ信号を外部出力するための端子である。
【００３０】
４．ビューファインダー装置Ａの使用方法
次に、図４を用いてビューファインダー装置Ａの使用方法について説明する。図４では、ビデオカメラＢのカメラ映像出力端子７１からのビデオカメラ映像信号がＢＮＣケーブル６１を介してビデオカメラ映像信号入力コネクタ１８に入力されている。また、スイッチャー等Ｄからの割り込み映像（スイッチャーからのリターン映像）信号がＢＮＣケーブル５０を介して割り込み映像入力コネクタ１９に入力されている。さらに、ビデオ三脚Ｃのパーン棒７２に装着されたズームリモコンＥからの制御信号がズームリモコンケーブル６２を介してズームリモコン入力端子２２に入力されている。さらに、ズームリモコンスルー出力コネクタ２３からの出力（リターン信号が除かれた制御信号）がズームリモコンケーブル６０を介してカメラレンズＦのズームリモコン入力端子に入力されている。
【００３１】
ビューファインダー装置Ａとその周辺の機器をこのような接続すると、リモコンＥから出力されたリターン信号がビデオカメラではなくビューファインダー装置Ａに入力され、ビューファインダー装置Ａでは、このリターン信号に基づいて、ビデオカメラの現在の映像とスイッチャーからのリターン映像との切り替えが行われる。従って、本実施形態のビューファインダー装置Ａを用いれば、スイッチャーからのリターン映像をカメラ本体に入力することができない安価なビデオカメラでも、スイッチャーからのリターン映像を確認することが可能になり、安価なビデオカメラを放送用途に利用することが可能になる。
【００３２】
５．ビューファインダー装置Ａの固定方法
ビューファインダー装置Ａは、一例では、下部にネジ穴を有しており，図４に示すように、ビデオカメラＢの上部にネジで固定される。但し、このような固定方法では、ビデオカメラＢ上に重量が大きいビューファインダー装置Ａが載置されるため、ビデオカメラＢにブレが発生しやすくなる場合がある。
【００３３】
このような問題を解決する固定方法としては、図７に示すビューファインダー装置固定用アダプタ（以下、「ビューファインダーアダプタ」と称する）６６を用いた方法が挙げられる。ビューファインダーアダプタ６６を用いた方法によれば、図１２及び図１４に示すように、ビューファインダー装置Ａが三脚Ｃとビデオカメラアダプタ６４との間に挟持された板状のビューファインダーアダプタ６６上に載置され、従って、ビデオカメラＢの上部にビューファインダー装置Ａが載置されないので、ビデオカメラＢでのブレの発生を抑制することができる。
【００３４】
以下、ビューファインダーアダプタ６６を用いた固定方法について詳細に説明する。
ビューファインダーアダプタ６６は、三脚Ｃとビデオカメラアダプタ６４との間に挟持される板状の本体部６７と、本体部６７に設けられ本体部６７を三脚Ｃとビデオカメラアダプタ６４に対して固定するために用いられる取付穴部６８と、本体部６６の一端に設けられビューファインダー装置Ａの固定に用いられるビューファインダー装置固定部７０とを備える。
【００３５】
三脚Ｃの上部には、一般に、三脚Ｃに着脱可能に固定されて三脚アダプタ７２が設けられており、三脚アダプタ７２と、ビューファインダーアダプタ６６と、ビデオカメラアダプタ６４とがネジなどによって互いに固定される。
【００３６】
この３つのアダプタの固定方法としては、一例では、図８に示すように、ビューファインダーアダプタ６６の取付穴部６８にネジ７４を挿入し、さらに、このネジをビデオカメラアダプタ６４のネジ穴に挿入して締め付けることによってビューファインダーアダプタ６６とビデオカメラアダプタ６４とを固定し、次に、三脚アダプタ７２の貫通穴及びビューファインダーアダプタ６６の取付穴部６８にネジ７６を挿入し、さらに、ビデオカメラアダプタ６４のネジ穴に挿入して締め付けることによって３つのアダプタを互いに固定する方法が挙げられる。また、ネジ７４を省略して、ネジ７６のみで３つのアダプタを互いに固定してもよい。さらに、図９に示すように、ビューファインダーアダプタ６６の取付穴部６８として、ネジ穴６８ａと、ネジ山のない穴（いわゆる「ばか穴」）６８ｂの両方を設け、ネジ山のない穴６８ｂを用いてビューファインダーアダプタ６６とビデオカメラアダプタ６４とを固定し、ネジ穴６８ａを用いて三脚アダプタ７２とビューファインダーアダプタ６６とを固定してもよい。３つのアダプタを互いに固定する方法は、ここで示した方法に限定されず、それ以外の物理的又は化学的な方法によって固定してもよい。
【００３７】
ビューファインダー装置Ａは、ビューファインダー装置固定部（以下「固定部」と称する）７０において、ビューファインダーアダプタ６６に固定される。固定部７０は、一例では、ネジ山のない穴であり、図１０に示すように、この穴にネジ７８を挿入してビューファインダー装置Ａの下面に設けられたネジ穴に挿入し締め付けることによってビューファインダー装置Ａをビューファインダーアダプタ６６に固定する。また、別の例では、図１１に示すように、ビューファインダー装置Ａは、高さ調節台７９を介してビューファインダーアダプタ６６に固定される。
【００３８】
ビューファインダー装置Ａが、三脚Ｃとビデオカメラアダプタ６４との間に固定されたビューファインダーアダプタ６６に高さ調節台７９を用いて固定されている状態を図１２に示す。図１２では、ビューファインダー装置Ａは、ビデオカメラＢの後方に固定されている。
【００３９】
ビューファインダー装置Ａは、別の実施形態では、ビデオカメラＢの側方に固定することが可能である。以下、この点について説明する。
【００４０】
本実施形態では、図１３に示すように、２つの部材を１つのビューファインダーアダプタ６６として使用する。以下、連結される２つの部材のうち、取付穴部６８を有する方を第１部材６６ａと称し、固定部７０を有する方を第２部材６６ｂと称する。第１部材６６ａの一端にはネジ山のない穴８１が設けられており、第２部材６６ｂの固定部７０の反対側の端部にはネジ穴８２が設けられており、穴８１と穴８２にネジが挿入されて第１部材６６ａと第２部材６６ｂとが連結される。なお、第１部材６６ａにネジ穴８２を設けて第２部材６６ｂにネジ山のない穴を設けてもよい。さらに、第１部材６６ａと第２部材６６ｂの両方をネジ山のない穴として、ボルトとナットを用いて第１部材６６ａと第２部材６６ｂを互いに連結してもよい。
【００４１】
本実施形態のビューファインダーアダプタ６６は、第１部材６６ａの取付穴部６８において三脚アダプタ７２及びビデオカメラアダプタ６４に固定される。また、ビューファインダーアダプタ６６の第２部材６６ｂの固定部７０においてビューファインダー装置Ａが固定される。第１部材６６ａと第２部材６６ｂとはネジで連結されるので、第２部材６６ｂは、ネジで固定された部分を支点として第１部材６６ａに対して回転可能である。
【００４２】
本実施形態のビューファインダーアダプタ６６は、以上のような構成を有しているので、図１４に示すように、ビューファインダー装置ＡをビデオカメラＢの側方に固定することができる。
【００４３】
なお、図１３では、第１部材６６ａと第２部材６６ｂとは異なる構成を有しているが、図１５に示すように、１つの部材中に固定部７０と、取付穴部６８と、ネジ穴８２を設けることによって、第１部材６６ａと第２部材６６ｂの構成を同じにすることができる。
【００４４】
６．ビューファインダー装置Ａの別の実施形態
図１６を用いて、ビューファインダー装置Ａの別の実施形態について説明する。本実施形態のビューファインダー装置Ａは、上記の実施形態と類似しているが、映像選択部５が選択した映像を外部出力する映像出力部８５を備えている点と、割り込み映像入力部３には、別のビデオカメラ（以下、ビューファインダー装置Ａが装着されているビデオカメラを「第一のビデオカメラ」と称し、それ以外のビデオカメラを「第二のビデオカメラ」と称する。）からの映像信号が入力される点が異なっている。一例では、ビューファインダー装置Ａの裏面に、映像出力コネクタが設けられ、映像出力部８５からの映像信号は、映像出力コネクタを通じて外部出力される。
【００４５】
本実施形態の構成によれば、第一のビデオカメラのカメラマンは、ズームリモコンＥを用いて、第一のビデオカメラからの映像と、第二のビデオカメラからの映像を切り替えて、液晶表示部１２に表示させると共に外部出力させることができる。外部出力させた映像は、録画機器に入力されて録画されたり、中継車などに設置させている放送機器に入力されて放送されたりする。このようにして録画又は放送される映像は、第一のビデオカメラからの映像と、第二のビデオカメラからの映像が組み合わされたものである。従って、本実施形態のビューファインダー装置Ａを用いれば、スイッチャーを別に用意することなく、複数のビデオカメラからの映像が組み合わされた映像を作成することができる。従って、本実施形態によれば、スイッチャーが不要になるので、スイッチャーの機器を運搬する手間や、スイッチャーの操作者の人件費を削減することができる。
【００４６】
また、割り込み映像入力部３には、第二のビデオカメラの代わりに、すでに録画済みの映像を再生して出力する映像再生機器からの映像を入力してもよい。この場合は、既に録画済みの映像と、現在撮影している映像とを組み合わせた映像を作成することができる。
従来は、複数台のビデオカメラを用いた撮影を行うには、多くの人と機器が必要であったが、本実施形態のビューファインダー装置Ａを用いれば、人も機器も減らすことができる。
【図１】
0005542176.tif 000002
【図２】
0005542176.tif 000003
【図３】
0005542176.tif 000004
【図４】
0005542176.tif 000005
【図５】
0005542176.tif 000006
【図６】
0005542176.tif 000007
【図７】
0005542176.tif 000008
【図８】
0005542176.tif 000009
【図９】
0005542176.tif 000010
【図１０】
0005542176.tif 000011
【図１１】
0005542176.tif 000012
【図１２】
0005542176.tif 000013
【図１３】
0005542176.tif 000014
【図１４】
0005542176.tif 000015
【図１５】
0005542176.tif 000016
【図１６】
0005542176.tif 000017